(57)【特許請求の範囲】
【請求項１】
タンクの下方に溜まる液体のレベルを測定すべく、液面より下方側にてタンクの内部圧力を受けるようにタンクに接続される高圧側圧力導入部と、液面より上方側にてタンクの内部圧力を受けるようにタンクに接続される低圧側圧力導入部とを備え、各圧力導入部から導入される圧力に基づき液体のレベルを測定するレベル測定装置の、低圧側圧力導入部の配管構造において、
低圧側圧力導入部は、液面より上方側にてタンクの内部と連通するようにタンクに接続され、少なくとも先端部側の部位が、タンクに固定される外管と、外管の内部に配置される内管とを備える低圧側導圧管を備え、
外管は、タンクの内部にて上方から噴霧されて落下する液体が内部に浸入するのを防止すべく、先端部がタンクの内部に配置され且つ先端部に下方を向く開口部が配設され、内管は、先端部が外管開口部から突出して配置され且つ先端部に下方を向く内管開口部が配設されて構成され、さらに、外管がタンクに固定される状態にてタンクの外部から外管に挿抜可能に構成されることを特徴とする配管構造。
【請求項２】
内管は、可撓性を有し、外管は、内管の先端部を外管開口部から突出して配置させるべく、内管が挿入される際に、内管を変形させつつ案内する案内部を備える請求項１に記載の配管構造。
【請求項３】
外管は、内管開口部が下方を向く状態を維持すべく、先端部の内周部が内管の外周部を係止するように構成される請求項２に記載の配管構造。
【請求項４】
硫黄酸化物を吸収する吸収液により対象ガスから硫黄酸化物を除去すべく、内部を通過する対象ガスに向けて噴霧され、対象ガスと接触しながら落下する吸収液を下方に溜めるタンクと、タンクの内部における吸収液のレベルを測定するレベル測定装置とを備え、レベル測定装置は、液面より下方側にてタンクの内部圧力を受けるようにタンクに接続される高圧側圧力導入部と、液面より上方側にてタンクの内部圧力を受けるようにタンクに接続される低圧側圧力導入部とを備え、各圧力導入部から導入される圧力に基づき吸収液のレベルを測定するように構成される脱硫装置において、
低圧側圧力導入部は、液面より上方側にてタンクの内部と連通するようにタンクに接続され、少なくとも先端部側の部位が、タンクに固定される外管と、外管の内部に配置される内管とを備えて構成される低圧側導圧管を備え、
外管は、タンクの内部にて上方から噴霧されて落下する液体が内部に浸入するのを防止すべく、先端部がタンクの内部に配置され且つ先端部に下方を向く開口部が配設され、内管は、先端部が外管開口部から突出して配置され且つ先端部に下方を向く内管開口部が配設されて構成され、さらに、外管がタンクに固定される状態にてタンクの外部から外管に挿抜可能に構成されることを特徴とする脱硫装置。
【発明の詳細な説明】
【技術分野】
【０００１】
本発明は、液体のレベルを測定する（差圧式）レベル測定装置における低圧側圧力導入部の配管構造に関し、また、タンクの内部における吸収液のレベルを測定するレベル測定装置を有する脱硫装置に関する。
【背景技術】
【０００２】
従来、タンクの下方に溜まる液体のレベルを測定するレベル測定装置として、図７（ａ）に示すように、排煙から硫黄酸化物を除去する脱硫装置における、タンク１００の下方に溜まる吸収液のレベルを測定する差圧式のレベル測定装置１０１が知られている（例えば、特許文献１）。
【０００３】
脱硫装置は、タンク１００の内部を通過する（図７（ａ）における矢印Ｆ方向にて導入され、矢印Ｇ方向にて排出される）排煙に向けて、ポンプ１０２を介して（図７（ａ）における矢印Ｈ方向に汲み上げられる）吸収液を上方の噴霧部（スプレーノズル）１０３から噴霧することにより、排煙に含有する硫黄酸化物を吸収液に吸収させる。
【０００４】
レベル測定装置１０１は、密封性を有するタンク１００が内圧を有していても、液面より下方側にてタンク１００に接続される高圧側圧力導入部１０４と、液面より上方側にてタンク１００に接続される低圧側圧力導入部１０５とから受ける各圧力に基づき、吸収液のレベルを測定することができる。
【０００５】
具体的には、レベル測定装置１０１は、高圧側圧力導入部１０４を介して、タンク１００の内圧及び吸収液のレベルに相当する圧力が伝達されると共に、低圧側圧力導入部１０５を介して、タンク１００の内圧が伝達され、各圧力の差に基づき液体のレベルを測定することができる。なお、低圧側圧力導入部１０５には、液面より上方にてタンクの内部と連通する低圧側導圧管１０５ａが設けられている。
【先行技術文献】
【特許文献】
【０００６】
【特許文献１】特開２００４−１２２２６号公報
【発明の概要】
【発明が解決しようとする課題】
【０００７】
しかしながら、タンク１００の内部において上方から吸収液が噴霧されるため、図７（ｂ）に示すように、例えば、吸収液がタンク１００の内壁部１００ａを伝って（図７（ｂ）におけるＩ矢印の経路にて）低圧側導圧管１０５ａの内部に浸入したり、吸収液が直接（図７（ｂ）におけるＪ矢印の経路にて）低圧側導圧管１０５ａの内部に浸入したりして、低圧側導圧管１０５ａが吸収液により閉塞される。
【０００８】
これにより、レベル測定装置１０１は、低圧側導圧管１０５ａからのタンク１００の内圧に相当する圧力が適正に導入されなくなるため、吸収液のレベルを誤測定することになる。さらには、吸収液のレベルを誤測定した状態で脱硫装置の運転を続けると、多方面に影響を及ぼすことにもなる。
【０００９】
よって、本発明は、かかる事情に鑑み、液体が上方から噴霧されても、低圧側導圧管の内部が液体により閉塞されるのを防止できる配管構造を提供することを課題とする。さらに、本発明は、吸収液が上方から噴霧されるタンクに対しても、タンクの下方に溜まる吸収液のレベルを正確に測定することができる脱硫装置を提供することを課題とする。
【課題を解決するための手段】
【００１０】
本発明に係る配管構造は、タンクの下方に溜まる液体のレベルを測定すべく、液面より下方側にてタンクの内部圧力を受けるようにタンクに接続される高圧側圧力導入部と、液面より上方側にてタンクの内部圧力を受けるようにタンクに接続される低圧側圧力導入部とを備え、各圧力導入部から導入される圧力に基づき液体のレベルを測定するレベル測定装置の、低圧側圧力導入部の配管構造において、低圧側圧力導入部は、液面より上方側にてタンクの内部と連通するようにタンクに接続され、少なくとも先端部側の部位が、タンクに固定される外管と、外管の内部に配置される内管とを備える低圧側導圧管を備え、外管は、タンクの内部にて上方から噴霧されて落下する液体が内部に浸入するのを防止すべく、先端部がタンクの内部に配置され且つ先端部に下方を向く開口部が配設され、内管は、先端部が外管開口部から突出して配置され且つ先端部に下方を向く内管開口部が配設されて構成され、さらに、外管がタンクに固定される状態にてタンクの外部から外管に挿抜可能に構成されることを特徴とする。
【００１１】
本発明によれば、液面より上方側にてタンクの内部と連通するようにタンクに接続される低圧側導圧管の先端部がタンクの内部に配置され、さらに、タンクの内部と連通するための開口部が低圧側導圧管の先端部に下方を向いて配設される。これにより、低圧側導圧管の内部が、タンクの内部にて上方から噴霧されて落下する液体に浸入されるのを防止できる。
【００１３】
そして、低圧側導圧管の先端部側のうち、タンクに固定される外管においては、先端部がタンクの内部に配置され、且つ、先端部にタンクの内部と連通するための外管開口部が下方を向いて配設される。そして、低圧側導圧管の先端部側のうち、外管の内部に配置される内管においては、先端部が外管開口部から突出して配置され、且つ、先端部にタンクの内部と連通するための内管開口部が下方を向いて配設される。
【００１４】
さらに、外管がタンクに固定される状態にて、内管がタンクの外部から外管に挿抜可能であるため、低圧側導圧管の先端部の開口部、即ち、外管開口部及び内管開口部が液体に堆積されたり、閉塞されたりした場合、内管を外管から抜き出すことにより、低圧側導圧管の内部が液体に堆積されたり、閉塞されたりした状態を解除でき、その後、液体を除去した内管や、新たな内管を外管に挿入することができる。
【００１５】
また、本発明に係る配管構造においては、内管は、可撓性を有し、外管は、内管の先端部を外管開口部から突出して配置させるべく、内管が挿入される際に、内管を変形させつつ案内する案内部を備えてもよい。
【００１６】
かかる構成によれば、可撓性を有する内管が外管に挿入される際に、案内部が内管を変形させつつ、内管の先端部が外管開口部から突出して配置するように案内する。したがって、内管を外管に挿入（装着）する作業を容易にすることができる。
【００１７】
また、本発明に係る配管構造においては、外管は、内管開口部が下方を向く状態を維持すべく、先端部の内周部が内管の外周部を係止するような構成を採用してもよい。
【００１８】
かかる構成によれば、外管における先端部の内周部が内管の外周部を係止するため、内管開口部が下方を向く状態を維持することができる。したがって、内管開口部が液体で閉塞されるのをより防止できる。
【００１９】
また、本発明に係る脱硫装置は、硫黄酸化物を吸収する吸収液により対象ガスから硫黄酸化物を除去すべく、内部を通過する対象ガスに向けて噴霧され、対象ガスと接触しながら落下する吸収液を下方に溜めるタンクと、タンクの内部における吸収液のレベルを測定するレベル測定装置とを備え、レベル測定装置は、液面より下方側にてタンクの内部圧力を受けるようにタンクに接続される高圧側圧力導入部と、液面より上方側にてタンクの内部圧力を受けるようにタンクに接続される低圧側圧力導入部とを備え、各圧力導入部から導入される圧力に基づき吸収液のレベルを測定するように構成される脱硫装置において、低圧側圧力導入部は、液面より上方側にてタンクの内部と連通するようにタンクに接続され、少なくとも先端部側の部位が、タンクに固定される外管と、外管の内部に配置される内管とを備えて構成される低圧側導圧管を備え、外管は、タンクの内部にて上方から噴霧されて落下する液体が内部に浸入するのを防止すべく、先端部がタンクの内部に配置され且つ先端部に下方を向く開口部が配設され、内管は、先端部が外管開口部から突出して配置され且つ先端部に下方を向く内管開口部が配設されて構成され、さらに、外管がタンクに固定される状態にてタンクの外部から外管に挿抜可能に構成されることを特徴とする。
【００２０】
かかる構成によれば、液面より上方側にてタンクの内部と連通するようにタンクに接続される低圧側導圧管の先端部がタンクの内部に配置され、さらに、タンクの内部と連通するための開口部が低圧側導圧管の先端部に下方を向いて配設される。これにより、低圧側導圧管の内部がタンクにて上方から噴霧されて落下する吸収液に浸入されるのを防止できるため、低圧側導圧管の内部が吸収液により閉塞されるのを防止できる。
そして、低圧側導圧管の先端部側のうち、タンクに固定される外管においては、先端部がタンクの内部に配置され、且つ、先端部にタンクの内部と連通するための外管開口部が下方を向いて配設される。そして、低圧側導圧管の先端部側のうち、外管の内部に配置される内管においては、先端部が外管開口部から突出して配置され、且つ、先端部にタンクの内部と連通するための内管開口部が下方を向いて配設される。
さらに、外管がタンクに固定される状態にて、内管がタンクの外部から外管に挿抜可能であるため、低圧側導圧管の先端部の開口部、即ち、外管開口部及び内管開口部が液体に堆積されたり、閉塞されたりした場合、内管を外管から抜き出すことにより、低圧側導圧管の内部が液体に堆積されたり、閉塞されたりした状態を解除でき、その後、液体を除去した内管や、新たな内管を外管に挿入することができる。
【発明の効果】
【００２１】
以上の如く、本発明に係る配管構造によれば、液体が上方から噴霧されても、低圧側導圧管の内部がタンクにおいて上方から噴霧される液体に浸入されるのを防止できるため、低圧側導圧管の内部が液体により閉塞されるのを防止できるという優れた効果を奏する。
【００２２】
また、本発明に係る脱硫装置によれば、吸収液が上方から噴霧されるタンクに対しても、低圧側導圧管の内部が吸収液により閉塞されるのを防止できるため、タンクの下方に溜まる吸収液のレベルを正確に測定することができるという優れた効果を奏する。
【図面の簡単な説明】
【００２３】
【図１】本発明の一実施形態に係る脱硫装置の全体概要図を示す。
【図２】同実施形態に係る脱硫装置の低圧側導圧管における要部概略図であって、図１のＡ領域における正面図を示す。
【図３】同実施形態に係る脱硫装置の低圧側導圧管における要部概要図であって、（ａ）は外管の縦断面図、（ｂ）は内管の全体斜視図を示す。
【図４】同実施形態に係る脱硫装置の低圧側導圧管における、内管を外管に挿入する説明図であって、要部概略正面図を示す。
【図５】本発明の他の実施形態に係る低圧側導圧管における、内管を外管に挿入する説明図であって、（ａ）及び（ｂ）は要部概略正面図、（ｃ）は要部概略縦断面図を示す。
【図６】本発明のさらに他の実施形態に係る脱硫装置の低圧側導圧管における、内管を外管に挿入する説明図であって、要部概略正面図を示す。
【図７】従来における脱硫装置における概要図であって、（ａ）は全体図、（ｂ）はＥ領域における縦断面図を示す。
【発明を実施するための形態】
【００２４】
以下、本発明に係る配管構造及び脱硫装置における一実施形態について、図１〜図４を参酌して説明する。
【００２５】
本実施形態に係る脱硫装置は、図１に示すように、硫黄酸化物を吸収するスラリ状の吸収液により対象ガス（例えば、ボイラ等から排出される排ガス）から硫黄酸化物を除去すべく、内部を通過する対象ガスに向けて噴霧され、対象ガスと接触しながら落下する吸収液を下方に溜めるタンク１と、タンク１の内部において上方から吸収液を噴霧するための噴霧手段２とを備える。
【００２６】
そして、脱硫装置は、タンク１の内部における吸収液のレベルを測定するレベル測定装置３を備える。また、脱硫装置は、スラリ状の吸収剤（吸収液、又は、吸収液を濃縮したもの）をタンク１に適宜供給する吸収剤供給ライン４と、水をタンク１に適宜供給する補給水ライン５と、タンク１から吸収液（硫黄酸化物を吸収した吸収液）を適宜抜き出す吸収液抜出ライン６とを備える。
【００２７】
なお、かかる脱硫装置は、一般的に、湿式排煙脱硫装置と呼ばれ、タンク１の内部を通過する対象ガスが吸収液（炭酸カルシウム）と接触することにより、対象ガスに含有する硫黄酸化物が吸収液に吸収され、対象ガスの脱硫処理が行われる。
【００２８】
そして、硫黄酸化物を吸収した吸収液がタンク１の下方に溜まり、ブロワ（図示していない）が下方に溜まる吸収液中に空気を供給することにより、硫酸カルシウム（石膏）が生成され、不要な硫酸カルシウムを排出すべく吸収液の一部が吸収液抜出ライン６を介して抜き出される。
【００２９】
タンク１は、下方に吸収液を溜める液溜部１１と、対象ガスを導入する（図１における矢印Ｂ方向にて導入する）ための入口部１２と、対象ガスを排出する（図１における矢印Ｃ方向にて排出する）ための出口部１３とを備える。また、タンク１は、密封性を有し、さらに、入口部１２から対象ガスを強制的に導入されるため、内部が陽圧となる（内圧を有する）。
【００３０】
入口部１２は、タンク１の上下方向の中間部に接続され、出口部１３は、タンク１の上端部に接続される。なお、入口部１２は、液溜部１１の中にガスノズルを配置させて、対象ガスを吸収液の中で噴出する構成の場合でもよい。
【００３１】
噴霧手段２は、液溜部１１の吸収液を汲み上げる（図１における矢印Ｄ方向にて汲み上げる）ポンプ２１と、汲み上げられた吸収液を噴霧する噴霧部２２とを備える。そして、ポンプ２１は、汲み上げた吸収液を、噴霧部２２に送液可能であると共に、弁６１の開閉（流調弁６１の開度）により、吸収液抜出ライン６にも送液可能である。
【００３２】
噴霧部２２は、タンク１の内部の上方に多数のスプレーノズルが配設されて構成される。また、噴霧部２２は、タンク１の入口部１２よりも上方であって、タンク１の出口部１３よりも下方に配置される。そして、噴霧部２２は、上方に向けて吸収液を噴射するように、スプレーノズルの向きが設定されてなる。
【００３３】
レベル測定装置３は、液面より下方側にてタンク１の内部圧力を受けるようにタンク１に接続される高圧側圧力導入部３１と、液面より上方側にてタンク１の内部圧力を受けるようにタンク１に接続される低圧側圧力導入部３２と、各圧力導入部３１，３２から導入される圧力に基づき吸収液のレベルを測定するように構成される差圧測定手段３３とを備える。
【００３４】
高圧側圧力導入部３１は、タンク１の側面にフランジ接続されるダイアフラムシール（薄い膜）を備える。そして、本実施形態においては、高圧側圧力導入部３１は、差圧測定手段３３と一体型のダイアフラム付き圧力導入部としている。なお、高圧側圧力導入部３１は、液体の圧力を一旦ダイアフラムで受け、封入液を充填した細いパイプ（キャピラリーチューブ）を介して差圧測定手段３３に圧力を伝える場合でもよい。
【００３５】
低圧側圧力導入部３２は、図２及び図３に示すように、液面より上方側にてタンク１の内部と連通するようにタンク１に接続される低圧側導圧管３２０を備える。なお、低圧側導圧管３２０は、噴霧部２２（具体的にはスプレーノズル）よりも下方側の位置でタンク１に接続されている。
【００３６】
低圧側導圧管３２０は、吸収液が内部に浸入するのを防止すべく、先端部３２０ａがタンク１の内部に配置され且つ先端部３２０ａに下方を向く開口部３２０ｂが配設されて構成される。即ち、低圧側導圧管３２０は、先端部３２０ａがタンク１の壁部１４から内方に突出して配置され、且つ、先端部３２０ａにタンク１の内部と連通するための開口部３２０ｂが下方を向いて配設されて構成される。
【００３７】
具体的には、低圧側導圧管３２０は、少なくとも先端部３２０ａ側が、タンク１に固定される外管３２１と、外管３２１の内部に配置される内管３２２とを備えて構成され、外管３２１は、先端部３２１ａがタンク１の内部に（タンク１の壁部１４から内方に突出して）配置され且つ先端部３２１ａに下方を向く外管開口部３２１ｂが配設されて構成され、内管３２２は、先端部３２２ａが外管開口部３２１ｂから突出して配置され且つ先端部３２２ａに下方を向く内管開口部３２２ｂが配設されて構成される。
【００３８】
そして、低圧側導圧管３２０は、内管３２２を挿抜するための挿抜口部３２１ｃをタンク１の外部に配置される部位に備え、外管３２１がタンク１に固定される状態にて、内管３２２が挿抜口部３２１ｃから外管３２１に挿抜可能に構成される。
【００３９】
外管３２１は、可撓性を有する内管３２２の、先端部３２２ａを外管開口部３２１ｂから突出して配置させるべく、内管３２２が挿入される際に、内管３２２を変形させつつ案内する案内部３２１ｄを備え、さらに、内管開口部３２２ｂが下方を向く状態を維持すべく、先端部３２１ａの内周部が内管３２２の外周部を係止するように構成される。
【００４０】
具体的には、外管３２１は、湾曲状に形成され、案内部３２１ｄを有する先端部３２１ａと、一端部が先端部３２１ａに連設され、他端部に挿抜口部３２１ｃを有する直管部３２１ｅと、直管部３２１ｅと差圧測定手段３３との間を接続させる基部３２１ｆとを備え、先端部３２１ａ（外管開口部３２１ｂ及び案内部３２１ｄ）の内周部は、内管３２２の先端部３２２ａの外周部を係止する。
【００４１】
なお、外管３２１は、先端部３２１ａ及び直管部３２１ｆの部位に、内管３２１が配置される二重管構造である。また、外管３２１は、挿抜口部３２１ｃを封止すべく、直管部３２１ｅに着脱可能な封止部材３２１ｇを備える。そして、外管３２１は、例えば、鋼管、管継手（エルボ、Ｔ字管チーズ、プラグ）、及び管フランジで構成される。
【００４２】
ここで、外管３２１は、固定手段７を介して、タンク１と固定され、固定手段７は、タンク１（タンク１の壁部１４）から外方に突設される管部７１と、管部７１の端部に配設される第１フランジ部７２と、外管３２１の外周部に固定される第２フランジ部７３とを備える。
【００４３】
具体的には、固定手段７は、管部７１が外管３２１（直管部３２１ｅ）に内挿された状態にて、第１フランジ部７２及び第２フランジ部７３がボルト・ナット（図示していない）で固定されることにより、タンク１と外管３２１とを固定する。なお、管部７１と直管部３２１ｅは、それぞれ円筒状に形成され、互いの軸線が異なる位置（偏心して）に配置される。
【００４４】
内管３２２は、先端部３２２ａに設けられる内管開口部（以下、「第１内管開口部」ともいう）３２２ｂとは別に第２内管開口部３２２ｃを備え、第１内管開口部３２２ａ及び第２内管開口部３２２ｃを介して、タンク１の内部と差圧測定手段３３とを連通させる。
【００４５】
また、内管３２２は、外径が外管３２１（先端部３２１ａ及び直管部３２１ｅ）の内径と略同一に形成され、外管３２１に内接して配置される。そして、内管３２２は、外管３２１の先端部３２１ａ（特に、案内部３２１ｄ）に係止されることにより、外管３２１に対する位置ズレが規制されている。なお、内管３２２は、例えば、合成樹脂可撓管（ＣＤ管、ＰＦ管）で形成される。
【００４６】
第２内管開口部３２２ｃは、直管部３２１ｅと基部３２１ｆとが接続される位置に対応して配置される。また、第２内管開口部３２２ｃは、第１内管開口部３２２ｂと略同一の開口面積となるように形成される。
【００４７】
差圧測定手段３３は、高圧側圧力導入部３１に接続される、即ち、ダイアフラムと一体的に形成される高圧側接続部（採番及び図示しない）と、低圧側圧力導入部３２（低圧側導圧管３２０）に接続される低圧側接続部（採番及び図示しない）とを備え、高圧側圧力導入部３１を介して伝達される圧力（タンク１の内圧及び吸収液のレベルに相当する圧力）と、低圧側圧力導入部３２（低圧側導圧管３２０）を介して伝達される圧力（タンク１の内圧）との差に基づき吸収液のレベルを測定可能に構成される。
【００４８】
例えば、差圧測定手段３３は、測定した吸収液のレベルに応じた電流を出力する差圧伝送器や、測定した吸収液のレベルを表示する差圧レベル計で構成される。
【００４９】
本実施形態に係る脱硫装置（配管構造）の構成は以上の通りであり、次に、本実施形態に係る脱硫装置（配管構造）の作用について説明する。
【００５０】
まず、内管３２２を外管３２１に挿入するには、図４（ａ）に示すように、外管３２１の挿抜口部３２１ｃに、内管３２２を先端部３２２ａから挿入する。そして、内管３２２を押し込み続けると、内管３２２の先端部３２２ａが案内部３２１ｄに案内される。
【００５１】
すると、内管３２２が可撓性を有するため、図４（ｂ）に示すように、内管３２２の先端部３２２ａが案内部３２１ｄに案内されるのに伴い、内管３２２の先端部３２２ａが外管３２１の先端部３２１ａに対応して湾曲状に変形する。そして、内管３２２の先端部３２２ａが外管３２１の外管開口部３２１ｂから突出するまで、内管３２２をさらに押し込み、その後、図４（ｃ）に示すように、封止部材３２１ｇを挿抜口部３２１ｃに装着する。
【００５２】
このとき、外管３２１の先端部３２１ａの内周部が内管３２２の先端部３２２ａの外周部を係止するため、第１内管開口部３２２ｂが下方を向く状態を維持して、上方から噴霧する吸収液が第１内管開口部３２２ｂに浸入するのを防止する。併せて、内管３２２の先端部３２２ａが外管３２１の先端部３２１ａに内接されるため、内管３２２が外管３２１に対して相対変位する（位置ズレを起こす）のを防止している。
【００５３】
ここで、外管開口部３２１ｂや第１内管開口部３２２ｂが下方を向いているのにも関わらず、スラリ状の吸収液が各開口部３２１ｂ，３２２ｂ付近に堆積する場合、挿抜口部３２１ｃから封止部材３２１ｇを取り外し、内管３２２の内部を確認したり、棒状の冶具で内管３２２の内部を掃除したりすることができる。
【００５４】
さらには、挿抜口部３２１ｃを介して、内管３２２を外管３２１から抜き出すことにより、第１内管開口部３２２ｂに堆積する（第１内管開口部３２２ｂを閉塞する）吸収液を排除することができる。なお、内管３２２を外管３２１から抜き出す際には、内管３２２を外管３２１に挿入する手順と反対の手順により行う。そして、抜き出した内管３２２から吸収液を排除して再び外管３２１に挿入したり、新たな内管３２２を外管３２１に挿入したりする。
【００５５】
以上より、本実施形態に係る脱硫装置は、低圧側導圧管３２０の先端部３２０ａ（外管３２１の先端部３２１ａ及び内管３２２の先端部３２２ａ）がタンク１の内部に配置され、さらに、タンク１の内部と連通するための開口部３２０ｂ（外管開口部３２１ｂ及び第１内管開口部３２２ｂ）が低圧側導圧管３２０の先端部３２０ａに下方を向いて配設される。
【００５６】
したがって、低圧側導圧管３２０の内部がタンク１において上方から噴霧される吸収液に浸入されるのを防止できるため、低圧側導圧管３２０の内部が吸収液により閉塞されるのを防止でき、その結果、タンク１の下方に溜まる吸収液のレベルを正確に測定することができる。
【００５７】
また、本実施形態に係る脱硫装置は、内管３２２の先端部３２２ａが外管３２１の外管開口部３２１ｂから突出して配置され、且つ、外管３２１がタンク１に固定される状態にて、内管３２２が挿抜口部３２１ｃから外管３２１に挿抜できる。
【００５８】
したがって、外管開口部３２１ｂ及び第１内管開口部３２２ｂが吸収液に堆積されたり、閉塞されたりした場合、内管３２２を外管３２１から抜き出すことにより、低圧側導圧管３２０の内部が吸収液に堆積されたり、閉塞されたりした状態を容易に解除することができる。
【００５９】
また、上記実施形態に係る脱硫装置は、可撓性を有する内管３２２が外管３２１に挿入される際に、案内部３２１ｄが内管３２２を変形させつつ、内管３２２の先端部３２２ａが外管開口部３２１ｂから突出して配置するように案内する。したがって、内管３２２を外管３２１に挿入（装着）する作業を容易にすることができる。
【００６０】
また、上記実施形態に係る脱硫装置は、外管３２１の先端部３２１ａの内周部が内管３２２の先端部３２２ａの外周部を係止するため、第１内管開口部３２２ｂが下方を向く状態を維持することができる。したがって、第１内管開口部３２２ｂが吸収液に堆積されたり、閉塞されたりするのをより防止できる。
【００６１】
なお、本発明に係る配管構造及び脱硫装置は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００６２】
例えば、上記実施形態に係る配管構造及び脱硫装置においては、低圧側導圧管３２０の先端部３２０ａ側が外管３２１及び内管３２２からなる二重管構造である場合を説明したが、かかる場合に限られず、例えば、低圧側導圧管の先端部側は、単管構造である場合でもよく、また、三重管構造や四重管構造である場合でもよく、或いは、同径に形成される複数の内管が外管の内部に並設される場合でもよい。
【００６３】
また、上記実施形態に係る配管構造及び脱硫装置においては、内管３２２が可撓性を有する場合を説明したが、かかる場合に限られず、内管が可撓性を有していない場合でもよい。例えば、図５に、かかる構成を採用した低圧側導圧管３２０’の一実施例を示す。
【００６４】
低圧側導圧管３２０’は、先端部側が、タンク１に固定される外管３２１’と、外管３２１’の内部に配置される内管３２２’とを備えて構成され、外管３２１’は、直管状の先端部３２１ａ’が下方半分側を切削されて形成されることにより、外管開口部３２１ｂ’が下方を向くように設けられ、内管３２２’は、先端部３２２ａ’が下方に向けて湾曲するように形成されることにより、内管開口部３２２ｂ’が下方を向くように設けられる。
【００６５】
そして、外管３２１’がタンク１に固定される状態にて、内管３２２’がタンク１の外部（挿抜口部３２１ｃ’）から外管３２１’に挿抜可能とすべく、図５（ａ）に示すように、内管３２２’は、先端部３２２ａ’が外管３２１’の内部を通過可能に形成される。
【００６６】
さらに、図５（ｂ）及び（ｃ）に示すように、外管３２１’の基部側に設けられる第３フランジ部８１と、内管３２２’の基端部に設けられる第４フランジ部８２がボルト・ナット（図示していない）にて固定される固定手段８を介して、内管３２２’が外管３２１’に位置決めされると共に固定される。
【００６７】
これにより、外管３２１’の先端部３２１ａ’がタンク１から内方に突出して配置され、且つ、外管３２１’の先端部３２１ａ’に、タンク１の内部と連通するための外管開口部３２１ｂ’が下方を向いて設けられると共に、内管３２２’の先端部３２２ａ’が外管開口部３２１ｂ’から突出して配置され、且つ、内管３２２’の先端部３２２ａ’に、タンク１の内部と連通するための内管開口部３２２ｂ’が下方を向いて設けられる。
【００６８】
また、上記実施形態に係る配管構造及び脱硫装置においては、外管３２１に案内部３２１ｄを有する場合を説明したが、かかる場合に限られず、外管に案内部を有することなく、内管の先端部を外管開口部から突出して配置される場合でもよい。例えば、図６に、かかる構成を採用した低圧側導圧管３２０''の一実施例を示す。
【００６９】
低圧側導圧管３２０''は、先端部側が、タンク１に固定される外管３２１''と、外管３２１''の内部に配置される内管３２２''とを備えて構成され、外管３２１''は、直管状の先端部３２１ａ''が下半分側を切削されて形成されることにより、外管開口部３２１ｂ''が下方を向くように設けられ、内管３２２''は、先端部３２２ａ''が外管開口部３２１ｂ''まで挿入されるのに伴い、先端部３２２ａ''が外管開口部３２１ｂ''から落下して変形するように構成される。例えば、内管３２２''は、先端部３２２ａ''のみが鋼管で形成され、それ以外の部位（基端部を含む基部側の部位）が合成樹脂可撓管で形成される。
【００７０】
かかる低圧側導圧管３２０''においては、まず、図６（ａ）に示すように、内管３２２''を挿抜口部３２１ｃ''から外管３２１''に挿入する。そして、図６（ｂ）に示すように、内管３２２''の先端部３２２ａ''を、外管３２１''の先端部３２１ａ''付近まで押し込む。このとき、内管３２２''は、先端部３２２ａ''が外管３２１''に支持されているため直管状の形状を維持している。
【００７１】
そして、内管３２２''をさらに押し込むと、内管３２２''の先端部３２２ａ''が外管開口部３２１ｂ''に到達するため、外管３２１''が内管３２２''の先端部３２２ａ''を支持できない。したがって、図６（ｃ）に示すように、内管３２２''の先端部３２２ａ''が外管開口部３２１ａ''から落下するようにして変形する。
【００７２】
これにより、外管３２１''の先端部３２１ａ''がタンク１の内部に配置され、且つ、外管３２１''の先端部３２１ａ''に、タンク１の内部と連通するための外管開口部３２１ｂ''が下方を向いて設けられ、内管３２２''の先端部３２２ａ''が外管開口部３２１ｂ''から突出して配置され、且つ、内管３２２''の先端部３２２ａ''に、タンク１の内部と連通するための内管開口部３２２ｂ''が下方を向いて設けられる。
【００７３】
また、上記実施形態に係る配管構造及び脱硫装置においては、液体が粘性の高いスラリ状の吸収液である場合を説明したが、かかる場合に限られず、粘性の低い液体の場合でもよい。
【００７４】
また、上記実施形態に係る配管構造及び脱硫装置においては、外管３２１が固定手段７によりタンク１に固定される場合を説明したが、かかる場合に限られず、例えば、外管がタンクに直接溶接されて固定される場合でもよい。
【００７５】
また、上記実施形態に係る配管構造及び脱硫装置においては、高圧側圧力導入部３１がタンク１の側面にフランジ接続されるダイアフラムシール（薄い膜）を備える場合を説明したが、かかる場合に限られず、例えば、高圧側圧力導入部が液面より下方側にてタンク１の内部と連通するようにタンク１に接続される（高圧側）導圧管を備える場合でもよい。
【００７６】
また、上記実施形態に係る配管構造及び脱硫装置においては、噴霧部２２が上方に向けて噴射するように、スプレーノズルの向きが設定されてなる場合を説明したが、かかる場合に限られず、例えば、噴霧部が側方又は下方に向けて噴射するように、スプレーノズルの向きが設定されてなる場合でもよい。
【符号の説明】
【００７７】
１…タンク、３…レベル測定装置、３１…高圧側圧力導入部、３２…低圧側圧力導入部、３２０…低圧側導圧管、３２０ａ…先端部、３２０ｂ…開口部、３２１…外管、３２１ａ…先端部、３２１ｂ…外管開口部、３２１ｄ…案内部、３２２ａ…先端部、３２２ｂ…内管開口部（第１内管開口部）
【図１】
0005213934.tif 000002
【図２】
0005213934.tif 000003
【図３】
0005213934.tif 000004
【図４】
0005213934.tif 000005
【図５】
0005213934.tif 000006
【図６】
0005213934.tif 000007
【図７】
0005213934.tif 000008